(57)【要約】【課題】画像形成における無駄を抑え、不正な印刷出力を防止できる画像形成装置を提供する。【解決手段】画像形成装置は、複写を禁止されたマークが印刷された原稿を読取部１が読み取った場合、読み取られた画像データは圧縮伸張データＩ／Ｆ制御部３を経由して画像処理部５に入力される。画像処理部５の有するパターン検知部５３が所定のパターン、例えば複写禁止マークを検知した場合、コマンド制御部５４がプロセスコントローラ７にコマンドを送信し、プロセスコントローラ７は複写禁止マークが検知されたページを作像部によって記録紙に印刷することなく、それ以外の複写禁止マークが検知されていない画像のページのみを印刷出力するよう制御する。【選択図】        図２
2007081855.tif 000002
【特許請求の範囲】
【請求項１】
画像データを受け付け、画像出力手段によって前記画像データを記録媒体に画像形成する画像形成装置であって、
前記画像データ内の所定の画像パターンを検知するパターン検知手段と、
前記パターン検知手段が所定の画像パターンを検知した場合、前記画像データを、検知された前記所定の画像パターンに従って前記画像出力手段に前記記録媒体のページごとに異なる形態で画像出力させるよう制御する出力制御手段と、
を備えたことを特徴とする画像形成装置。
【請求項２】
前記出力制御手段は、前記画像出力手段に、検知された前記所定の画像パターンを含むページを、前記記録媒体に画像出力させないよう制御するものであることを特徴とする請求項１に記載の画像形成装置。
【請求項３】
前記パターン検知手段が検知した所定の画像パターンを含むページと含まないページとを表現するテーブル手段を、さらに備え、
前記出力制御手段は、前記テーブル手段を読み込み所定の画像パターンを含むページと含まないページとを判定し、前記所定の画像パターンを含むページを前記記録媒体に画像出力させないよう制御するものであることを特徴とする請求項２に記載の画像形成装置。
【請求項４】
前記パターン検知手段が検知した所定の画像パターンを含むページと含まないページとに対して、それぞれ前記所定の画像パターンの有無についての情報を付加する情報付加手段を、さらに備え、
前記出力制御手段は、前記情報付加手段によって付加された前記所定の画像パターンが有るという付加情報を検出した場合、前記画像パターンを含むページを前記記録媒体に画像出力させないよう制御するものであることを特徴とする請求項２または３に記載の画像形成装置。
【請求項５】
前記画像データを格納する記憶手段を、さらに備え、
前記パターン検知手段が前記所定の画像パターンを検知した場合、前記記憶手段は前記所定の画像パターンが検知された画像データをページ単位で格納するものであることを特徴とする請求項１〜４のいずれか１つに記載の画像形成装置。
【請求項６】
認証情報を受け付けて認証する認証手段を、さらに備え、
前記出力制御手段は、前記認証手段が認証情報の認証に成功した場合、前記記憶手段に格納されたページ単位の前記所定の画像パターンが検知された画像データを画像出力させるものであることを特徴とする請求項５に記載の画像形成装置。
【請求項７】
画像データを受け付け、画像出力手段によって前記画像データを記録媒体に画像形成する画像形成装置における画像形成方法であって、
前記画像データ内の所定の画像パターンを検知するパターン検知工程と、
前記パターン検知工程で所定の画像パターンを検知した場合、前記画像データを、検知された前記所定の画像パターンに従って前記画像出力手段に前記記録媒体のページごとに異なる形態で画像出力させるよう制御する出力制御工程と、
を含むことを特徴とする画像形成方法。
【請求項８】
前記出力制御工程は、前記画像出力手段に、検知された前記所定の画像パターンを含むページを、前記記録媒体に画像出力させないよう制御するものであることを特徴とする請求項７に記載の画像形成方法。
【請求項９】
前記パターン検知工程で検知した所定の画像パターンを含むページと含まないページとをテーブル手段により表現するテーブル表現工程を、さらに含み、
前記出力制御工程は、前記テーブル表現工程で表現された前記テーブル手段を読み込み所定の画像パターンを含むページと含まないページとを判定し、前記所定の画像パターンを含むページを前記記録媒体に画像出力させないよう制御するものであることを特徴とする請求項８に記載の画像形成方法。
【請求項１０】
前記パターン検知工程で検知した所定の画像パターンを含むページと含まないページとに対して、それぞれ前記所定の画像パターンの有無についての情報を情報付加手段によって付加する情報付加工程を、さらに含み、
前記出力制御工程は、前記情報付加工程で付加された前記所定の画像パターンが有るという付加情報を検出手段によって検出した場合、前記画像パターンを含むページを前記記録媒体に画像出力させないよう制御するものであることを特徴とする請求項８または９に記載の画像形成方法。
【請求項１１】
前記パターン検知工程で前記所定の画像パターンを検知した場合、前記所定の画像パターンが検知された画像データをページ単位で記憶手段に格納する記憶工程を、さらに含むものであることを特徴とする請求項７〜１０のいずれか１つに記載の画像形成方法。
【請求項１２】
認証情報を受け付けて認証手段によって認証動作を行う認証工程を、さら含み、
前記出力制御工程は、前記認証工程で前記認証手段による認証情報の認証に成功した場合、前記記憶工程で前記記憶手段に格納されたページ単位の前記所定の画像パターンが検知された画像データを読み出して画像出力させるものであることを特徴とする請求項１１に記載の画像形成方法。
【請求項１３】
請求項７〜１２のいずれか１つに記載の画像形成方法をコンピュータに実行させることを特徴とするプログラム。
【発明の詳細な説明】
【技術分野】
【０００１】
本発明は、画像形成装置、画像形成方法、およびその方法をコンピュータに実行させるプログラムに関するものである。
【背景技術】
【０００２】
近年、企業などにおいて機密文書の流出防止などの情報セキュリティ管理が重要視されてきている。現在、使用者が作成した紙原稿が不特定多数の人々に公開されないようにする目的で、原稿作成時にある特定のパターンを原稿に印字しておき、その特定パターンが入っている原稿をスキャンした場合、原稿画像データを別のデータに変えて出力して所謂「無理つぶし」処理を施す画像形成装置が開発されている。例えば、特許文献１の技術にあっては、コピーガードキーが押下されると、原稿画像が複数の領域に分割され、分割された領域を原画像が不明になるように配置して画像出力する。このような技術は不正コピーガード技術と呼ばれている。コピーされることが好ましくないデータに対しては、この処理を施すことによって情報セキュリティ管理の安全性が高められている。
【０００３】
【特許文献１】特開平６−９８１８０号公報
【発明の開示】
【発明が解決しようとする課題】
【０００４】
しかしながら、特許文献１の技術では、コピー禁止キーを押下することによって、入力データを再配置して読めなくして画像出力するのでコピー禁止原稿の画像出力を未然に防ぐことができたとしても、あるいはまた、不正コピーであると自動判定した場合にこのような処理を施したとしても、所謂「無理つぶし」されて印刷出力するために、インクや用紙が無意味に浪費されてしまうという問題があった。また、「無理つぶし」処理をされた後、複写が許可されている操作者による複写禁止ページを複写使用とする場合については、解決されていなかった。
【０００５】
本発明は上記に鑑みてなされたものであって、その目的は、コピー禁止であると判定した原稿ページに対して印刷を停止し、それ以外の原稿のページを画像出力することによって、印刷など画像形成における無駄を抑えることができる画像形成装置、画像形成方法、その方法をコンピュータに実行させるプログラム、および記録媒体を提供することである。
【０００６】
また、その目的は、コピー禁止以外の原稿ページの画像出力については、正規の操作者である場合には画像出力できるようにして、印刷における無駄の抑制と機密を保持とを図ることができる画像形成装置、画像形成方法、その方法をコンピュータに実行させるプログラム、および記録媒体を提供することである。
【課題を解決するための手段】
【０００７】
上述した課題を解決し、目的を達成するために、請求項１にかかる発明は、画像データを受け付け、画像出力手段によって前記画像データを記録媒体に画像形成する画像形成装置であって、前記画像データ内の所定の画像パターンを検知するパターン検知手段と、前記パターン検知手段が所定の画像パターンを検知した場合、前記画像データを、検知された前記所定の画像パターンに従って前記画像出力手段に前記記録媒体のページごとに異なる形態で画像形成させるよう制御する出力制御手段と、を備えたことを特徴とする。
【０００８】
請求項２にかかる発明は、請求項１に記載の画像形成装置において、前記出力制御手段は、前記画像出力手段に、検知された前記所定の画像パターンを含むページを、前記記録媒体に画像形成させないよう制御するものであることを特徴とする。
【０００９】
請求項３にかかる発明は、請求項２に記載の画像形成装置において、前記パターン検知手段が検知した所定の画像パターンを含むページと含まないページとを表現するテーブル手段を、さらに備え、前記出力制御手段は、前記テーブル手段を読み込み所定の画像パターンを含むページと含まないページとを判定し、前記所定の画像パターンを含むページを前記記録媒体に画像形成させないよう制御するものであることを特徴とする。
【００１０】
請求項４にかかる発明は、請求項２または３に記載の画像形成装置において、前記パターン検知手段が検知した所定の画像パターンを含むページと含まないページとに対して、それぞれ前記所定の画像パターンの有無についての情報を付加する情報付加手段を、さらに備え、前記出力制御手段は、前記情報付加手段によって付加された前記所定の画像パターンが有るという付加情報を検出した場合、前記画像パターンを含むページを前記記録媒体に画像形成させないよう制御するものであることを特徴とする。
【００１１】
請求項５にかかる発明は、請求項１〜４のいずれか１つに記載の画像形成装置において、前記画像データを格納する記憶手段を、さらに備え、前記パターン検知手段が前記所定の画像パターンを検知した場合、前記記憶手段は前記所定の画像パターンが検知された画像データをページ単位で格納するものであることを特徴とする。
【００１２】
請求項６にかかる発明は、請求項５に記載の画像形成装置において、認証情報を受け付けて認証する認証手段を、さらに備え、前記出力制御手段は、前記認証手段が認証情報の認証に成功した場合、前記記憶手段に格納されたページ単位の前記所定の画像パターンが検知された画像データを画像形成させるものであることを特徴とする。
【００１３】
請求項７にかかる発明は、画像データを受け付け、画像出力手段によって前記画像データを記録媒体に画像形成する画像形成装置における画像形成方法であって、前記画像データ内の所定の画像パターンを検知するパターン検知工程と、前記パターン検知工程で所定の画像パターンを検知した場合、前記画像データを、検知された前記所定の画像パターンに従って前記画像出力手段に前記記録媒体のページごとに異なる形態で画像形成させるよう制御する出力制御工程と、を含むことを特徴とする。
【００１４】
請求項８にかかる発明は、請求項７に記載の画像形成方法において、前記出力制御工程は、前記画像出力手段に、検知された前記所定の画像パターンを含むページを、前記記録媒体に画像形成させないよう制御するものであることを特徴とする。
【００１５】
請求項９にかかる発明は、請求項８に記載の画像形成方法において、前記パターン検知工程で検知した所定の画像パターンを含むページと含まないページとをテーブル手段により表現するテーブル表現工程を、さらに含み、前記出力制御工程は、前記テーブル表現工程で表現された前記テーブル手段を読み込み所定の画像パターンを含むページと含まないページとを判定し、前記所定の画像パターンを含むページを前記記録媒体に画像形成させないよう制御するものであることを特徴とする。
【００１６】
請求項１０にかかる発明は、請求項８または９に記載の画像形成方法において、前記パターン検知工程で検知した所定の画像パターンを含むページと含まないページとに対して、それぞれ前記所定の画像パターンの有無についての情報を情報付加手段によって付加する情報付加工程を、さらに含み、前記出力制御工程は、前記情報付加工程で付加された前記所定の画像パターンが有るという付加情報を検出手段によって検出した場合、前記画像パターンを含むページを前記記録媒体に画像形成させないよう制御するものであることを特徴とする。
【００１７】
請求項１１にかかる発明は、請求項７〜１０のいずれか１つに記載の画像形成方法において、前記パターン検知工程で前記所定の画像パターンを検知した場合、前記所定の画像パターンが検知された画像データをページ単位で記憶手段に格納する記憶工程を、さらに含むものであることを特徴とする。
【００１８】
請求項１２にかかる発明は、請求項１１に記載の画像形成方法において、認証情報を受け付けて認証手段によって認証動作を行う認証工程を、さら含み、前記出力制御工程は、前記認証工程で前記認証手段による認証情報の認証に成功した場合、前記記憶工程で前記記憶手段に格納されたページ単位の前記所定の画像パターンが検知された画像データを読み出して画像出力させるものであることを特徴とする。
【００１９】
請求項１３にかかる発明は、プログラムであって、請求項７〜１２のいずれか１つに記載の画像形成方法をコンピュータに実行させることを特徴とする。
【発明の効果】
【００２０】
請求項１にかかる発明によれば、画像データ内の所定の画像パターンを検知した場合、画像データを、検知された所定の画像パターンに従って異なる形態で画像出力させるよう制御するので、所定の画像パターンを有する画像データだけ別の形態で出力することにより、例えば複写禁止マークを検出した場合、該マークのみを出力させたり、あるいは出力させなかったりして、マークを検出しなかったページのみを正常に出力させることができるので、印刷材料の無駄な消費を抑制し、かつ、特定の情報の安全性を保つことができるという効果を奏する。
【００２１】
請求項２にかかる発明によれば、検知された所定の画像パターンを含むページを、記録媒体に画像出力させないようにすることによって、所定の画像パターンが検出されないページのみを画像出力することができるので、印刷材料の無駄な消費を抑制し、かつ、特定の情報の安全性を保つことができるという効果を奏する。
【００２２】
請求項３にかかる発明によれば、所定の画像パターンを含むページと含まないページとを表現するテーブル手段を備えて、テーブル手段に基づいて所定の画像パターンを含むページを記録媒体に画像出力させないようにすることによって、所定の画像パターンが検出されないページのみを画像出力することができるので、印刷材料の無駄な消費を抑制し、かつ、情報の安全性を保つことができるという効果を奏する。
【００２３】
請求項４にかかる発明によれば、所定の画像パターンを含むページと含まないページとに対して、それぞれ所定の画像パターンの有無についての情報を付加し、所定の画像パターンが有るという付加情報を検出した場合、そのページを記録媒体に画像出力させないようにすることによって、所定の画像パターンが検出されないページのみを画像出力することができるので、印刷材料の無駄な消費を抑制し、かつ、情報の安全性を保つことができるという効果を奏する。
【００２４】
請求項５にかかる発明によれば、所定の画像パターンを検知した場合、検知された画像データをページ単位で記憶手段に格納することにより、後で所定の画像パターンを有する画像データをページ単位で使用することができるという効果を奏する。
【００２５】
請求項６にかかる発明によれば、認証情報を受け付けて認証し、認証に成功した場合、記憶手段に格納されたページ単位の所定の画像パターンが検知された画像データを画像出力させることによって、所定の画像パターンが検出されないページのみを画像出力し、一方、認証された場合には、所定の画像パターンを含むページの画像も出力することができるので、印刷材料の無駄な消費を抑制し、情報の安全性を保ち、かつ正当な操作者による操作に対しては必要なデータを画像出力できる利便性をも備えることができるという効果を奏する。
【００２６】
請求項７にかかる発明によれば、画像データ内の所定の画像パターンを検知した場合、画像データを、検知された所定の画像パターンに従って異なる形態で画像出力させるよう制御するので、所定の画像パターンを有する画像データだけ別の形態で出力することにより、例えば複写禁止マークを検出した場合、該マークのみを出力させたり、あるいは出力させなかったりして、マークを検出しなかったページのみを正常に出力させることができるので、印刷材料の無駄な消費を抑制し、かつ、特定の情報の安全性を保つことができるという効果を奏する。
【００２７】
請求項８にかかる発明によれば、検知された所定の画像パターンを含むページを、記録媒体に画像出力させないようにすることによって、所定の画像パターンが検出されないページのみを画像出力することができるので、印刷材料の無駄な消費を抑制し、かつ、特定の情報の安全性を保つことができるという効果を奏する。
【００２８】
請求項９にかかる発明によれば、所定の画像パターンを含むページと含まないページとを表現するテーブル手段を備えて、テーブル手段に基づいて所定の画像パターンを含むページを記録媒体に画像出力させないようにすることによって、所定の画像パターンが検出されないページのみを画像出力することができるので、印刷材料の無駄な消費を抑制し、かつ、情報の安全性を保つことができるという効果を奏する。
【００２９】
請求項１０にかかる発明によれば、所定の画像パターンを含むページと含まないページとに対して、それぞれ所定の画像パターンの有無についての情報を付加し、所定の画像パターンが有るという付加情報を検出した場合、そのページを記録媒体に画像出力させないようにすることによって、所定の画像パターンが検出されないページのみを画像出力することができるので、印刷材料の無駄な消費を抑制し、かつ、情報の安全性を保つことができるという効果を奏する。
【００３０】
請求項１１にかかる発明によれば、所定の画像パターンを検知した場合、検知された画像データをページ単位で記憶手段に格納することにより、後で所定の画像パターンを有する画像データをページ単位で使用することができるという効果を奏する。
【００３１】
請求項１２にかかる発明によれば、認証情報を受け付けて認証し、認証に成功した場合、記憶手段に格納されたページ単位の所定の画像パターンが検知された画像データを画像出力させることによって、所定の画像パターンが検出されないページのみを画像出力し、一方、認証された場合には、所定の画像パターンを含むページの画像も出力することができるので、印刷材料の無駄な消費を抑制し、情報の安全性を保ち、かつ正当な操作者による操作に対しては必要なデータを画像出力できる利便性をも備えることができるという効果を奏する。
【００３２】
請求項１３にかかる発明によれば、請求項７〜１２のいずれか１つに記載の画像形成方法をコンピュータに実行させることができるという効果を奏する。
【発明を実施するための最良の形態】
【００３３】
以下に添付図面を参照して、この発明にかかる画像形成装置、画像形成方法、その方法をコンピュータに実行させるプログラム、および記録媒体の最良な実施の形態を、実施の形態１、２、および変形例１〜３に沿って詳細に説明する。
【００３４】
（１．実施の形態１）
（１．１．全体構成）
図１は、本発明の実施の形態１によるデジタル複合機（ＭＦＰ）の構成図である。実施の形態１によるデジタル複合機は、読取部１、センサボード２、圧縮伸張データインタフェース（Ｉ／Ｆ）制御部３、パラレルバス４、画像処理部５、システムコントローラ６、プロセスコントローラ７、ビデオデータコントローラ８、および作像部９、画像メモリアクセスコントローラ１０、メモリモジュール１１、送受信部１２、操作表示部１３、シリアルバス１４、ＲＡＭ（ランダムアクセスメモリ）１５、１７、およびＲＯＭ（リードオンリメモリ）１６、１８を備える。また、ＭＦＰには送受信部１２を介してネットワーク経由で外部のパーソナルコンピュータ（ＰＣ）２５が接続している。
【００３５】
図２は、画像処理部５の構成を説明する図である。画像処理部５は、入力Ｉ／Ｆ５１、５６、スキャナ画像処理部５２、パターン検知部５３、コマンド制御部５４、画質処理部５７、および出力Ｉ／Ｆ５５、５８を有する。
【００３６】
実施の形態１によるＭＦＰでは、複写を禁止されたマークが印刷された原稿を読取部１が読み取った場合、読み取られた画像データは圧縮伸張データＩ／Ｆ制御部３を経由して画像処理部５に入力され、画像処理部５の有するパターン検知部５３が所定のパターン例えば複写禁止マークを検知した場合、コマンド制御部５４がプロセスコントローラ７にコマンドを送信し、プロセスコントローラ７は複写禁止マークが検知されたページを作像部９によって記録紙に印刷することなく、それ以外の画像データのみを印刷出力するように制御する。このようにして、所定のパターン例えば複写禁止マークを有するページを従来例のように他のデータで置き換えて読めない画像にして印刷するのではなく、印刷を停止するよう制御することによって、印刷における無駄を低減することができる。以下、実施の形態１によるＭＦＰ全体、および画像処理部５の印刷制御動作について説明する。
【００３７】
原稿を光学的に読み取る読取部１は、原稿に対するランプ照射の反射光をミラーおよびレンズによりセンサボード２に集光する。センサボード２は、ＣＣＤ（Ｃｈａｒｇｅ  Ｃｏｕｐｌｅｄ  Ｄｅｖｉｃｅ）を有する受光素子を搭載し、ＣＣＤにおいて電気信号に変換された画像信号は、デジタル信号に変換された後、センサボード２から出力される。センサボード２から出力される画像信号は、圧縮伸張データＩ／Ｆ制御部３に入力される。ここで、機能デバイスおよびデータバス間における画像データの伝送は圧縮伸張データＩ／Ｆ制御部３が制御する。
【００３８】
圧縮伸張データＩ／Ｆ制御部３は画像データに関して、センサボード２、パラレルバス４、画像処理部５間のデータ転送、システムコントローラ６とプロセスコントローラ７間の通信を行う。センサボード２からの画像信号は圧縮伸張データＩ／Ｆ制御部３を経由して画像処理部５に転送され、光学系およびデジタル信号への量子化に伴うスキャナ系の信号劣化を補正し、再度圧縮伸張データＩ／Ｆ制御部３へ出力する。
【００３９】
読み取り画像をメモリに蓄積して再利用するジョブと、メモリに蓄積しないジョブとがある。メモリに蓄積しない例としては、１枚の原稿を１枚だけ複写する場合であり、読み取り画像をそのまま再生すれば良いので、メモリアクセスを行う必要はない。メモリに蓄積する例としては、１枚の原稿を複数枚複写する場合、読み取りユニットを１回だけ動作させ、メモリに蓄積し、蓄積データを複数回読み出す使い方がある。メモリとしてここではメモリモジュール１１を使用する。
【００４０】
まず、メモリを使わない場合、画像処理部５から圧縮伸張データＩ／Ｆ制御部３へ転送されたデータは、再度圧縮伸張データＩ／Ｆ制御部３から画像処理部５へ戻される。画像処理部５の画質処理部５７は、ＣＣＤによる輝度データを面積階調に変換するための画質処理を施す。画質処理部５７による画質処理後の画像データは、画像処理部５からビデオデータコントローラ８に転送される。面積階調に変化された信号に対し、ドット配置に関する後処理およびドットを再現するためのパルス制御を行い、作像部９において転写紙上に再生画像を形成する。
【００４１】
次に、メモリに蓄積し画像読み出し時に付加的な処理、例えば画像方向の回転、画像の合成等を行う場合の画像データの流れを示す。画像処理部５から圧縮伸張データＩ／Ｆ制御部３へ転送されたデータは、圧縮伸張データＩ／Ｆ制御部３からパラレルバス４を経由して画像メモリアクセスコントローラ１０に送られる。画像メモリアクセスコントローラ１０は、システムコントローラ６の制御に基づき画像データとメモリモジュール１１のアクセス制御、送受信部１２を介して接続する外部ＰＣ２５のプリント用データの展開、メモリ有効活用のための画像データの圧縮／伸張を行う。画像メモリアクセスコントローラ１０へ送られたデータはデータ圧縮後メモリモジュール１１へ蓄積し、蓄積データを必要に応じて読み出す。読み出しデータは伸張し、本来の画像データに戻し画像メモリアクセスコントローラ１０からパラレルバス４経由で圧縮伸張データＩ／Ｆ制御部３へ戻される。
【００４２】
圧縮伸張データＩ／Ｆ制御部３から画像処理部５への転送後は画質処理およびビデオデータコントローラ８でのパルス制御を行い、作像部９において転写紙上に再生画像を形成する。作像部９の制御は読み取りが開始された時点で開始される。ここで、パラレルバス４および圧縮伸張データＩ／Ｆ制御部３でのバス制御により画像データの流れを制御し、ＭＦＰの各種の機能を実現する。
【００４３】
プロセスコントローラ７は画像データの流れを制御し、システムコントローラ６はシステム全体を制御し、各リソースの起動を管理する。システムコントローラ６およびプロセスコントローラ７は、複数ジョブ、例えばコピー機能、ＦＡＸ送受信機能、プリンタ出力機能が並行に動作する状況において、読取部１、作像部９およびパラレルバス４使用権のジョブへの割り振りを制御する。ＭＦＰの機能選択は、操作表示部１３にて操作者からの選択入力を受け付けて、処理内容が設定される。
【００４４】
システムコントローラ６とプロセスコントローラ７は、パラレルバス４、圧縮伸張データＩ／Ｆ制御部３、およびシリアルバス１４を介して相互に通信を行う。圧縮伸張データＩ／Ｆ制御部３が有するデータ変換部３７は、パラレルバス４とシリアルバス１４とのデータインタフェースのためのデータフォーマット変換を行う。
【００４５】
図３は、圧縮伸張データＩ／Ｆ制御部３の機能的ブロック図である。画像データ入出力制御部３１はセンサボード２からの画像データを入力し、画像処理部５に対してデータを出力する。画像データ入力制御部３２は、画像処理部５でスキャナ画像補正されたデータを入力する。データ圧縮部３３は、入力されたデータに対して、パラレルバス４での転送効率を高めるためにデータ圧縮を行う。圧縮されたデータは、データ変換部３７によって変換され、パラレルデータＩ／Ｆ３４を介してパラレルバス４へ送出される。
【００４６】
逆に、パラレルバス４からパラレルデータＩ／Ｆ３４を介して入力される画像データは、バス転送のために圧縮されており、データ伸張部３５で伸張される。伸張された画像データは画像データ出力制御部３６によって画像処理部５へ転送される。ここでの圧縮伸張に使われる符号化方式の一例としては、ＭＦＰに適している符号語長が固定な方式が挙げられる。固定長の符号化方式は、符号状態で符号化前の画像の位置がわかるために任意の部分の画像のみを再生することが可能である。また、画像加工や編集性にも適している。データ変換部３７は、パラレルデータとシリアルデータの変換機能を併せ持つ。
【００４７】
システムコントローラ６は、パラレルバス４にデータを転送する。プロセスコントローラ７は、シリアルバス１４にデータを転送する。これら２つのコントローラ間での通信のためにデータ変換機能を有する。シリアルデータＩ／Ｆ３８、および３９は画像処理部５用にも更に１系統持ち、画像処理部５ともインタフェース処理を施す。
【００４８】
図４は、画像メモリアクセスコントローラ１０の機能的ブロック図である。画像メモリアクセスコントローラ１０が有するパラレルデータＩ／Ｆ４１は、パラレルバス４との画像データのインタフェースを管理する。即ち、パラレルデータＩ／Ｆ４１は、メモリモジュール１１への画像データの格納／読み出しと、主に外部のＰＣから入力されるコードデータの画像データへの展開を制御する。ここでいうメモリモジュール１１の例としては半導体メモリ、およびハードディスクの少なくともいずれかを含むものとする。
【００４９】
画像メモリアクセスコントローラ１０に入力されたコードデータは、ラインバッファ４２において、ローカル領域でのデータの格納を行う。ラインバッファ４２に格納されたコードデータは、システムコントローラＩ／Ｆ４３を介して入力されたシステムコントローラからの展開処理命令に基づき、ビデオ制御部４４において画像データに展開される。展開された画像データ、またはパラレルデータＩ／Ｆ４１を介してパラレルバス４から入力された画像データは、メモリモジュール１１に格納される。
【００５０】
この場合、データ変換部４５において格納対象となる画像データを選択し、データ圧縮部４６においてメモリ使用効率を上げるためにデータ圧縮を行い、メモリアクセス制御部４７にてメモリモジュール１１のアドレスを管理しながらメモリモジュール１１に画像データを格納する。ここでの圧縮伸張に使われる符号化方式の一例としては、メモリモジュール１１領域の節約に適した高能率な符号化方式が挙げられる。これは前述した圧縮伸張データＩ／Ｆ制御部３に要求される機能重視の符号化方式と異なり、効率重視の符号化方式である。メモリモジュール１１に格納された画像データの読み出しは、メモリアクセス制御部４７にて読み出し先アドレスを制御し、読み出された画像データをデータ伸張部４８にて伸張する。伸張された画像データをパラレルバス４へ転送する場合、パラレルデータＩ／Ｆ４１を介してデータ転送を行う。
【００５１】
（１．２．画像処理部の動作）
ここで、図２を参照すると、読み取り画像はセンサボード２、圧縮伸張データＩ／Ｆ制御部３を介して画像処理部５の入力Ｉ／Ｆ５１からスキャナ画像処理部５２へ伝達される。ここでは、読取部１によって読み取られた原稿画像には、ある特定のパターンが画像として埋め込まれているものとする。特定のパターンとは、例えば、社外秘を示すマル秘マークであったり、あるいは重度の機密を示す機密情報マークであることを想定する。
【００５２】
ここで、入力画像データは本来のスキャナ画像処理部５２においてスキャナ画像処理が施されると同時に、パターン検知部５３にも画像データが分岐される。
【００５３】
パターン検知部５３は、分岐されて送られて来た画像データ内の特定パターンに対して検知する動作に入る。検知した情報はコマンド制御部５４を介してプロセスコントローラ７へ通知される。パターン検知部５３ではパターンの検知だけで画像データの変更は行わない。
【００５４】
プロセスコントローラ７は、パターン検知の通知を受けると、スキャナ画像処理部５２の制御を即座に変更し、同時に、パターンが検知された出力画像データの作像部９による作像動作を停止させる。
【００５５】
スキャナ画像処理部５２は、読み取り画像信号の劣化補正が目的のシェーディング補正、スキャナγ補正、ＭＴＦ補正等を行う。スキャナ画像処理部５２は、補正処理ではないが、拡大／縮小の変倍処理も行う。スキャナ画像処理部５２は、読み取り画像データの補正処理終了後、出力Ｉ／Ｆ５５を介して圧縮伸張データＩ／Ｆ制御部３へ画像データを転送する。
【００５６】
転写紙への出力は圧縮伸張データＩ／Ｆ制御部３からの画像データを入力Ｉ／Ｆ５６より受け、画質処理部５７は面積階調処理を行う。画質処理部５７が画質処理を施した後のデータは、出力Ｉ／Ｆ５８を介してビデオデータコントローラ８へ出力される。面積階調処理は濃度変換、ディザ処理、誤差拡散処理等があり、階調情報の面積近似を主な処理とする。ここで、一旦スキャナ画像処理された画像データをメモリに蓄積しておけば、画質処理を変えることによって種々の再生画像を操作表示部１３の表示機能により確認することができる。例えば再生画像の濃度を変化させてみたり、ディザマトリクスの線数を変更してみたりすることによって、再生画像の見た目の雰囲気を変更できる。この時、処理を変更する度に画像を読取部１から読み込み直す必要はなく、メモリモジュール１１から格納画像を読み出せば同一データに対し、何度でも異なる処理を施すことができる。また、単体スキャナの場合、スキャナ画像処理と階調処理を合せて実施し、圧縮伸張データＩ／Ｆ制御部３へ出力する。
【００５７】
（１．３．画像処理手順）
図５は、実施の形態１による画像形成手順を示すフローチャートである。読取部１によって原稿が読み取られ、読み取られた画像データが圧縮伸張データＩ／Ｆ制御部３を介して画像処理部５に送信されると、すでに検知動作に入っているパターン検知部５３は、各ページにおいて所定のパターンの有無を検知する。所定のパターンは例えば、複写禁止マークである（ステップＳ１０１）。パターン検知部５３が、所定のパターンを検知した場合（ステップＳ１０１のＹｅｓ）、所定のパターンを検知したページ情報をプロセスコントローラ７に通知し、プロセスコントローラ７は作像部９に該当パターンが検知されたページを印刷出力させないように制御する（ステップＳ１０２）。
【００５８】
一方、パターン検知部５３が、所定のパターンを検知しなかった場合（ステップＳ１０１のＮｏ）、プロセスコントローラ７は、画像データに基づいてそのまま作像部９に印刷出力させる（ステップＳ１０３）。
【００５９】
このようにして、パターン検知部５３によって、読み取られた原稿画像において特定の画像パターン、例えば複写禁止マークなどを検知した場合、ただちにプロセスコントローラ７に検知した情報を送信し、プロセスコントローラ７は該当する検知された原稿のページを作像部９により記録紙に印刷出力しないよう制御するので、複写禁止原稿が複写されることを防止できると共に、今までのように複写禁止マークを検出した場合に他の画像で置き換えて印刷出力することがないので、無駄に印刷出力することをも防止することができる。
【００６０】
（１．４．変形例１）
ここで、パターン検知部５３が所定のパターンを検知した場合、検知されたページについては、原稿画像データを印刷出力するのではなく、検知された所定のパターンのみを印刷出力する構成とすることができる。パターン検知部５３が有する所定のパターンデータ（不図示）のみを画質処理部５７に送信し、原稿ページのデータと置き換えることによって実現できる。
【００６１】
このように置き換えることによって、複写禁止原稿の複写を禁止し、かつ、複写禁止ページについては複写禁止マークのみを印刷出力することによって、機器の操作者が明瞭に複写禁止ページを複写しようとしたことを明らかにできる。しかもその際に、複写禁止マークのみを印刷出力させるので、所謂「無理つぶし」によって複写禁止原稿を見えなくするのではなく、インクの消費も抑制することができる。
【００６２】
即ち、この構成によって、複写禁止ページの複写を不成功にさせ、しかも所定のパターンのみを印刷出力することによって、インクの消費を抑えながらも、どのような種類のページが不正に印刷されようとされたかという不正印刷行為への警告となる態様で印刷出力できるので、無駄の低減に加えて、人為的要因による不正複写を予防することができる。
【００６３】
（１．５．変形例２）
【００６４】
図６は、変形例２による画像処理部５ａの機能的ブロック図である。画像処理部５ａは、メモリ２５１を有して、画像データのページ単位で所定のパターンが検出されたか否かを示すテーブル２５２を格納する。
【００６５】
パターン検知部５３ａは、検知動作に入ると同時に、検知結果を示す検知テーブル２５２をメモリ２５１に生成または書き換える。
【００６６】
図７は、パターン検知部５３ａによる検知テーブルの生成を説明する図である。パターン検知部５３ａは、読み取った１ページ〜７ページ分の画像データ７０１〜７０７から、ページ単位で、所定のパターンの有無を検知する。ここでは、複写禁止マークが第２、５、７ページ（図中符号７０２、７０５、７０７）に検知された場合である。検知テーブル２５２にはページ数２、５、７の欄に検知に対応するフラッグが立てられる（図中×印）。パターン検知部５３ａは、検知動作の進行と共に検知テーブル２５２を生成し、または書き換える。
【００６７】
コマンド制御部５４ａは、メモリ２５１から検知テーブル２５２を読み出し、プロセスコントローラ７に読み出した結果を送信する。プロセスコントローラ７は、検知テーブルから、出力すべきページ数の情報を取得して作像部９を制御する。即ち、プロセスコントローラ７はテーブル２５２による情報に従って作像部９を制御し、印刷出力するページ（第１、３、４、６ページ）については印刷出力させ、出力停止するページ（第２、５、７ページ）については印刷停止させる。
【００６８】
（１．６．変形例３）
図８は、変形例３による画像処理部５ｂの機能的ブロック図である。画像処理部５ｂは、検知情報付加部５９ｂを有する。検知情報付加部５９ｂは、パターン検知部５３ｂが所定のパターンを検知したページの画像データに対して、検知結果を示す情報をページ単位で付加するものである。
【００６９】
図９は、画像データに対して、所定の画像パターンの検知情報が付加されることを説明する図である。ここでは、第２ページの画像データで所定の画像パターンが検知された場合である。画像データ７０２ｂに対して、検知有無を示す付加情報７０２ｃ（図中×印）が書き込まれる。付加情報７０２ｃは、例えば検知された場合は１、されなかった場合は０とすることができる。
【００７０】
コマンド制御部５４ｂは、画像データに付加された検知結果を表す付加情報によって、所定のパターンが検知されたことを示す情報を読み取った場合、プロセスコントローラ７に読み取った検知情報を送信し、プロセスコントローラ７は、付加情報によってパターンが検知されたページの印刷出力を作像部９に停止させるよう制御する。
【００７１】
（２．実施の形態２）
図１０は、実施の形態２による画像処理部５ｄの機能的ブロック図である。実施の形態２によるＭＦＰは、認証部５０１をさらに備え、操作表示部１３から入力を受け付けた認証情報を認証部５０１が認証処理を行い、認証に成功した場合は所定のパターンが検知されことによって印刷停止されているページについて、印刷出力を行う。認証部５０１は、あらかじめユーザＩＤとパスワードの登録を受け付けておき、メモリモジュール１１に格納しておく。
【００７２】
実施の形態２においては、パターン検知部５３ｄは、所定のパターンを検知しなかったページについての印刷をまず行う。そして、所定のパターンを検知したページの画像データについては、メモリモジュール１１に格納する。この印刷と格納の順序は任意である。
【００７３】
所定の画像パターンを検出しなかったページについての印刷が終了した後に、操作表示部１３が、操作者による認証情報の入力の受け付けを要求して受け付けた場合、認証部５０１は、受け付けた認証情報に対して認証動作を行う。即ち、格納されている認証情報を読み出して照合して判定する。
【００７４】
認証部５０１によるユーザＩＤおよびパスワードの照合によって認証に成功した場合、画像処理部５ｄは、すでにメモリモジュール１１に格納されている所定のパターンを有する画像データを読み込み、プロセスコントローラ７は作像部９を制御して印刷出力する。
【００７５】
図１１は、実施の形態２による画像形成手順を示すフローチャートである。図中ステップＳ２０１〜ステップＳ２０３は実施の形態１と同様であるので説明を省略する。プロセスコントローラ７が、所定のパターンを検知したページを作像部９に印刷出力させない状態（ステップＳ２０２）以降を説明する。
【００７６】
パターン検知部５３ｄは、印刷出力させなかった所定のパターンを検知したページの画像データを、一旦、メモリモジュール１１に格納する（ステップＳ２０４）。この後、該印刷出力しなかったページについて、操作者は印刷出力する必要がある場合もある。このような必要に応えるため、パターン検知部５３ｄは、操作表示部１３の表示画面に認証情報の入力を受け付ける表示を行う。操作者は、表示に従って操作表示部１３から認証情報を入力することができる。そして、認証部５０１は、認証情報の入力を検知する状態にある（ステップＳ２０５）。
【００７７】
ここで、操作表示部１３が操作者からの認証情報の入力を受け付けた場合（ステップＳ２０５のＹｅｓ）、認証部５０１は受け付けた認証情報を既に登録されてメモリモジュール１１に格納された登録情報と照合し（ステップＳ２０６）、照合に成功した場合（ステップＳ２０６のＹｅｓ）、パターン検知部５３ｄは格納しているページの画像データをモジュール１１から読み出す（ステップＳ２０７）。プロセスコントローラ７は、作像部９に所定のパターンを含むページについて、読み出された画像データによって印刷出力させる（ステップＳ２０８）。
【００７８】
認証部５０１が操作者からの認証情報を受け付けなかった場合（ステップＳ２０５のＮｏ）、および認証部５０１が認証情報の照合に成功しなかった場合（ステップＳ２０６のＮｏ）は、そのまま終了する。このように終了することによって、認証情報が照合されなかった場合は、所定のパターンを含むページについては印刷出力されないままとなる。
【００７９】
このように、所定の画像パターンが複写禁止マークであった場合、先ず、禁止ページ以外の画像データを出力し、その後に複写が許可されていることを認証情報によって照合して認証に成功した場合は、最初に印刷出力を停止していた複写禁止ページのみを印刷出力する。この構成によって、先ず所定のパターンを含むページ以外のページについてのみ印刷出力し、しかも認証情報によって複写が許可される場合には追加的に最初に不許可になったページを印刷出力することができるので、無駄の低減とセキュリティの確保とを図るとともに、正規の操作者に対しては一度複写が禁止されたページについての印刷出力が可能になる利便性をも提供することができる。
【００８０】
（３．ハードウェア構成など）
図１２は、実施の形態によるＭＦＰのハードウェア構成を示すブロック図である。このＭＦＰは、ファックスやスキャナなどの複合的機能を備える複合機として構成されている。図に示すように、このＭＦＰは、コントローラ１２１０とエンジン部１２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１２１０は、ＭＦＰ全体の制御、表示処理制御、各種制御、画像形成制御など、ＦＣＵＩ／Ｆ１２３０、操作表示部１３からの入力を制御するコントローラである。エンジン部１２６０は、ＰＣＩバスに接続可能な画像処理エンジンなどであり、例えば取得した画像データに対して誤差拡散やガンマ変換などの画像処理部分が含まれる。
【００８１】
コントローラ１２１０は、ＣＰＵ１２１１と、ノースブリッジ（ＮＢ）１２１３と、システムメモリ（ＭＥＭ−Ｐ）１２１２と、サウスブリッジ（ＳＢ）１２１４と、ローカルメモリ（ＭＥＭ−Ｃ）１２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）１２１６と、ハードディスクドライブ１２１８とを有し、ノースブリッジ１２１３とＡＳＩＣ１２１６との間をＡＧＰ（Ａｃｃｅｌｅｒａｔｅｄ  Ｇｒａｐｈｉｃｓ  Ｐｏｒｔ）バス１２１５で接続した構成となる。また、ＭＥＭ−Ｐ１２１２は、ＲＯＭ（Ｒｅａｄ  Ｏｎｌｙ  Ｍｅｍｏｒｙ）１２１２ａと、ＲＡＭ（Ｒａｎｄｏｍ  Ａｃｃｅｓｓ  Ｍｅｍｏｒｙ）１２１２ｂとをさらに有する。
【００８２】
ＣＰＵ１２１１は、ＭＦＰの全体制御を行うものであり、ＮＢ１２１３、ＭＥＭ−Ｐ１２１２およびＳＢ１２１４からなるチップセットを有し、このチップセットを介して他の機器と接続される。
【００８３】
ＮＢ１２１３は、ＣＰＵ１２１１とＭＥＭ−Ｐ１２１２、ＳＢ１２１４、ＡＧＰ１２１５とを接続するためのブリッジであり、ＭＥＭ−Ｐ１２１２に対する読み書きなどを制御するメモリコントローラと、ＰＣＩマスタおよびＡＧＰターゲットとを有する。
【００８４】
ＭＥＭ−Ｐ１２１２は、プログラムやデータの格納用メモリ、プログラムやデータの展開用メモリなどとして用いるシステムメモリであり、ＲＯＭ１２１２ａとＲＡＭ１２１２ｂとからなる。ＲＯＭ１２１２ａは、プログラムやデータの格納用メモリとして用いる読み出し専用のメモリであり、ＲＡＭ１２１２ｂは、プログラムやデータの展開用メモリ、画像形成時の画像描画メモリなどとして用いる書き込みおよび読み出し可能なメモリである。
【００８５】
ＳＢ１２１４は、ＮＢ１２１３とＰＣＩデバイス、周辺デバイスとを接続するためのブリッジである。このＳＢ１２１４は、ＰＣＩバスを介してＮＢ１２１３と接続されており、このＰＣＩバスには、ＦＣＵＩ／Ｆ１２３０なども接続される。
【００８６】
ＡＳＩＣ１２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ１２１５、ＰＣＩバス、ＨＤＤ１２１８およびＭＥＭ−Ｃ１２１７をそれぞれ接続するブリッジの役割を有する。
【００８７】
このＡＳＩＣ１２１６は、ＰＣＩターゲットおよびＡＧＰマスタと、ＡＳＩＣ１２１６の中核をなすアービタ（ＡＲＢ）と、ＭＥＭ−Ｃ１２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部１２６０との間でＰＣＩバスを介してＵＳＢ（Ｕｎｉｖｅｒｓａｌ  Ｓｅｒｉａｌ  Ｂｕｓ）１２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース１２５０が接続される。
【００８８】
ＭＥＭ−Ｃ１２１７は、送信用画像バッファ、符号バッファとして用いるローカルメモリであり、ＨＤＤ１２１８は、画像データの蓄積、プログラムの蓄積、フォントデータの蓄積、フォームの蓄積を行うためのストーレジである。
【００８９】
ＡＧＰ１２１５は、グラフィック処理を高速化するために提案されたグラフィックスアクセラレータカード用のバスインタフェースであり、ＭＥＭ−Ｐ１２１２に高スループットで直接アクセスすることにより、グラフィクスアクセラレータカードを高速にするものである。
【００９０】
ＡＳＩＣ１２１６に接続するキーボード１３は、操作者からの操作入力を受け付けて、ＡＳＩＣ１２１６に受け付けられた操作入力情報を送信する。
【００９１】
なお、実施形態のＭＦＰで実行される画像形成プログラムは、ＲＯＭ等に予め組み込まれて提供される。
【００９２】
実施形態のＭＦＰで実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９３】
さらに、実施形態によるＭＦＰで実行される画像形成プログラムを、インターネット等のネットワークに接続されたコンピュータ上に格納し、ネットワーク経由でダウンロードさせることにより提供するように構成しても良い。また、実施形態のＭＦＰで実行される画像形成プログラムをインターネット等のネットワーク経由で提供または配布するように構成しても良い。
【００９４】
実施の形態のＭＦＰで実行される画像形成プログラムは、上述した各部（圧縮伸張データＩ／Ｆ制御部３、画像形成部５、プロセスコントローラ７、ビデオデータコントローラ８、パターン検知部５３、検知情報付加部５９ｂなど）を含むモジュール構成となっており、実際のハードウェアとしてはＣＰＵ（プロセッサ）が上記ＲＯＭから画像形成プログラムを読み出して実行することにより上記各部が主記憶装置上にロードされ、圧縮伸張データＩ／Ｆ制御部３、画像形成部５、プロセスコントローラ７、ビデオデータコントローラ８、パターン検知部５３、検知情報付加部５９ｂなどが主記憶装置上に生成されるようになっている。
【００９５】
以上説明した本発明の実施の形態あるいは変形例は、説明のための一例であって、本発明はここに説明したこれらの具体例に限定されるものではない。
【産業上の利用可能性】
【００９６】
以上のように、本発明にかかる画像形成装置、画像形成方法、およびその方法をコンピュータに実行させるプログラムは、画像形成技術に有用であり、特にコピー、ファクス、プリンタ、スキャナ、および画像データの蓄積を含む複合的な機能を有するデジタル複合機における画像形成技術に有用である。
【図面の簡単な説明】
【００９７】
【図１】本発明の実施の形態１によるデジタル複合機（ＭＦＰ）の構成図である。
【図２】画像処理部５の構成を説明する図である。
【図３】圧縮伸張データＩ／Ｆ制御部３の機能的ブロック図である。
【図４】画像メモリアクセスコントローラ１０の機能的ブロック図である。
【図５】実施の形態１による画像形成手順を示すフローチャートである。
【図６】変形例２による画像処理部５ａの機能的ブロック図である。
【図７】パターン検知部５３ａによる検知テーブルの生成を説明する図である。
【図８】変形例３による画像処理部５ｂの機能的ブロック図である。
【図９】画像データに対して、所定の画像パターンの検知情報が付加されることを説明する図である。
【図１０】実施の形態２によるＭＦＰの有する画像処理部５ｄの機能的ブロック図である。
【図１１】実施の形態２による画像形成手順を示すフローチャートである。
【図１２】実施の形態によるＭＦＰのハード構成図である。
【符号の説明】
【００９８】
１  読取部
２  センサボード
３  圧縮伸張データインタフェース（Ｉ／Ｆ）制御部
４  パラレルバス４
５  画像処理部
６  システムコントローラ
７  プロセスコントローラ
８  ビデオデータコントローラ
９  作像部
１０  画像メモリアクセスコントローラ
１１  メモリモジュール
５３  パターン検知部
５４  コマンド制御部
５７  画質処理部
【図１】
2007081855.tif 000003
【図２】
2007081855.tif 000004
【図３】
2007081855.tif 000005
【図４】
2007081855.tif 000006
【図５】
2007081855.tif 000007
【図６】
2007081855.tif 000008
【図７】
2007081855.tif 000009
【図８】
2007081855.tif 000010
【図９】
2007081855.tif 000011
【図１０】
2007081855.tif 000012
【図１１】
2007081855.tif 000013
【図１２】
2007081855.tif 000014